(57)【特許請求の範囲】
【請求項１】
互いに嵌合する方向を前方、嵌合を解除する方向を後方とし、互いに嵌合することで電気的に接続される第１のコネクタ及び第２のコネクタとを有し、
前記第１のコネクタは、前後方向に貫通した端子収容室が、前後方向と直交する面内に複数形成された第１のコネクタハウジングと、前記各端子収容室に後方から前方に向かって挿入され、前方への規制位置まで挿入されることで、各端子収容室に設けられた係止手段により後方へ抜け止め係止される複数の第１の端子と、前記第１のコネクタハウジングの側方から前記第１のコネクタハウジングの内部に向けて前後方向と直交する方向に挿入され、仮係止位置にあるとき、前記第１の端子の前記端子収容室に対する挿抜を許容し、一方、前記第１の端子が前記端子収容室に前記規制位置まで挿入されて前記係止手段により抜け止め係止されている状態で、前記仮係止位置から本係止位置に移動させられることで、前記第１の端子を前記係止手段と共に二重係止するリテーナと、を有し、
前記第２のコネクタは、前記第１のコネクタハウジングに嵌合する第２のコネクタハウジングと、前記第２のコネクタハウジングに保持され、前記第１のコネクタハウジングと前記第２のコネクタハウジングとが嵌合されたとき、前記各第１の端子とそれぞれ電気接続される第２の端子と、を有し、
前記リテーナに、前方に向けて開口した逆嵌合検知用の凹部が形成されると共に、前記第２のコネクタハウジングに、前記リテーナが本係止位置にある状態で、前記第１のコネクタに対して第２のコネクタが正規の向きで嵌合されるとき、前記逆嵌合検知用の凹部に挿入されることで、前記第１のコネクタと第２のコネクタの嵌合を許容し、一方、前記第１のコネクタに対して第２のコネクタが正規の向きと逆の向きで嵌合されるとき、前記第１のコネクタに形成された干渉壁部に干渉することで、前記第１のコネクタと第２のコネクタの嵌合を阻止する逆嵌合検知用の凸部が形成されていることを特徴とするコネクタ装置。
【請求項２】
請求項１に記載のコネクタ装置であって、
前記逆嵌合検知用の凹部が、前記第１のコネクタと第２のコネクタの嵌合方向に平行な方向に直線的に延びるスリットとして形成され、前記逆嵌合検知用の凸部が、前記スリットの内壁に案内されつつ該スリット内に挿入される板状の突片として形成されていることを特徴とするコネクタ装置。
【請求項３】
請求項１または２に記載のコネクタ装置であって、
前記第１のコネクタが、前記第１のコネクタハウジングとしてのインナハウジングと、前記インナハウジングを収容する収容空間を有した筒状をなし、前記インナハウジングを前記収容空間に収容したとき、筒状の周側壁の内周と前記インナハウジングの外周との間に、前記第２のコネクタハウジングのフード部の挿入される環状空間を確保するアウタカバーと、前記アウタカバーの収容空間の後端と前記インナハウジングの後壁との間に配置され、前記インナハウジングの各端子収容室に挿入される前記各第１の端子からそれぞれ後方に延びる各電線の周囲をシールする複数の電線挿通孔を有すると共に、前記アウタカバーと前記インナハウジングの間の環状空間に前記第２のコネクタハウジングのフード部が嵌合完了位置まで挿入されたとき、前記フード部と密着することで、前記インナハウジングに保持された第１の端子と第２のコネクタハウジングに保持された第２の端子との電気接続部を含む空間を外部からシールするマットシールと、を有しており、
前記第２のコネクタハウジングのフード部が、前記インナハウジングとの嵌合時に、前記インナハウジング及び前記リテーナを包囲する位置に設けられ、
前記アウタカバーの周側壁に、前記第１のコネクタと第２のコネクタの嵌合前の状態において、前記リテーナを前記インナハウジングに挿入するための横窓が設けられていることを特徴とするコネクタ装置。
【請求項４】
嵌合する方向を前方、嵌合を解除する方向を後方とし、相手側のコネクタに嵌合することで電気的に接続されるコネクタを有し、
前記コネクタは、前後方向に貫通した端子収容室が、前後方向と直交する面内に複数形成されたコネクタハウジングと、前記各端子収容室に後方から前方に向かって挿入され、前方への規制位置まで挿入されることで、各端子収容室に設けられた係止手段により後方へ抜け止め係止される複数の端子と、前記コネクタハウジングの側方から前記コネクタハウジングの内部に向けて前後方向と直交する方向に挿入され、仮係止位置にあるとき、前記端子の前記端子収容室に対する挿抜を許容し、一方、前記端子が前記端子収容室に前記規制位置まで挿入されて前記係止手段により抜け止め係止されている状態で、前記仮係止位置から本係止位置に移動させられることで、前記端子を前記係止手段と共に二重係止するリテーナと、を有し、
前記リテーナに、前記相手側のコネクタに対して正規の向きと逆の向きでの嵌合を阻止する前方に向けて開口した逆嵌合検知用の凹部が形成されると共に、前記相手側のコネクタに、前記リテーナが本係止位置にある状態で、前記コネクタに対して相手側のコネクタが正規の向きで嵌合されるとき、前記逆嵌合検知用の凹部に挿入されることで、前記コネクタと相手側のコネクタの嵌合を許容し、一方、前記コネクタに対して相手側のコネクタが正規の向きと逆の向きで嵌合されるとき、前記コネクタに形成された干渉壁部に干渉することで、前記コネクタと相手側のコネクタの嵌合を阻止する逆嵌合検知用の凸部が形成されていることを特徴とするコネクタ装置。
【発明の詳細な説明】
【技術分野】
【０００１】
本発明は、逆嵌合検知機能を備えたコネクタ装置に関するものである。
【背景技術】
【０００２】
例えば、ワイヤーハーネス同士を接続するためのコネクタ装置は、互いに嵌合するオスとメスの一対のコネクタ（以下では、必要に応じて一方を第１のコネクタ、他方を第２のコネクタと呼ぶ）から構成されている。オスコネクタとメスコネクタを嵌合する場合、適正な向きで嵌合する必要があり、不適正な向きで嵌合しようとした場合に、嵌合ができないようにする逆嵌合検知機能を備えたコネクタ装置が知られている。
【０００３】
図６〜図８は、特許文献１に記載された、従来のこの種の逆嵌合検知機能を備えたコネクタ装置の例を示している。図６はオスコネクタ側の構成を示す分解斜視図、図７はオスコネクタの外観構成を示す斜視図、図８はオスコネクタとメスコネクタを嵌合しようとしている状態を示す斜視図である。
【０００４】
図８に示すように、このコネクタ装置は、互いに嵌合するオスコネクタ３００とメスコネクタ３８０とからなる。図６及び図８において、矢印Ｆで示す方向が、オスコネクタ３００とメスコネクタ３８０の嵌合方向である前方、矢印Ｂで示す方向が、オスコネクタ３００とメスコネクタ３８０の嵌合を解除する方向である後方を示している。前方Ｆと後方Ｂは、各コネクタ３００、３８０毎の方向である。
【０００５】
図６に示すように、このオスコネクタ３００は、図８に示すメスコネクタ３８０との嵌合及び解除方向である前後方向（矢印Ｆ、Ｂ方向）に貫通した複数の端子収容室３１１を有する樹脂製のコネクタハウジング３１０と、このコネクタハウジング３１０の各端子収容室３１１に後方Ｂから前方Ｆに向けて挿入される不図示の複数の第１の端子と、コネクタハウジング３１０に前後方向と直交する側方から挿入される樹脂製のリテーナ３５０と、を備えている。
【０００６】
各端子は、それぞれ電線の先端に取り付けられており、端子収容室３１１に後方から挿入され、前方への規制位置（例えば、各端子収容室３１１の前方に配されたストッパ壁に衝突する位置）まで挿入された状態で、各端子収容室３１１毎に備えられた可撓性ランス（不図示）により、後方へ抜けないように一次係止される。
【０００７】
コネクタハウジング３１０は、前後方向に直交する断面の外周輪郭形状が四角形状をなしており、このコネクタハウジング３１０の４つの周側面３１２，３１３のうち、一つの周側面３１２には、反対側の周側面に向かって切り込まれたリテーナ挿入凹部３１４が設けられている。リテーナ３５０は、このリテーナ挿入凹部３１４に差込部３５２を完全に挿入することで、コネクタハウジング３１０に本係止される。また、リテーナ３５０は、本係止位置の手前の仮係止位置に仮係止できるようにもなっている。
【０００８】
リテーナ３５０の差込部３５２には、コネクタハウジング３１０の端子収容室３１１に対応する端子貫通孔３５１が設けられている。そして、リテーナ３５０は、仮係止位置にあるときに、端子の端子収容室３１１に対する挿抜を許容し、端子が端子収容室３１１に規制位置まで挿入されて可撓性ランスにより抜け止め係止（一次係止）されている状態で、仮係止位置から本係止位置に移動させられることで、端子をランスと共に二重係止することができるようになっている。
【０００９】
図７に示すように、リテーナ３５０が本係止位置されたとき、リテーナ３５０の操作壁３５４が、リテーナ挿入凹部３１４の開口するコネクタハウジング３１０の周側面３１２と面一となるように構成されており、その状態で、コネクタハウジング３１０の周側面３１２に形成された前後方向に延びる溝３１６と、リテーナ３５０の操作壁３５４に形成された前後方向に延びる溝３５６が連続して、１本の逆嵌合検知用の溝として機能するようになっている。
【００１０】
一方、図８に示すように、メスコネクタ３８０のコネクタハウジングの嵌合口３８２の内周には、正規の向きでメスコネクタ３８０とオスコネクタ３００が嵌合されたときに、オスコネクタ３００側の溝３１６，３５６に嵌まる逆嵌合検知用の凸部３８６が設けられている。
【００１１】
このように、メスコネクタ３８０の逆嵌合検知用の凸部３８６とオスコネクタ３００側の逆嵌合検知用の溝３１６，３５６が互いに嵌まることにより、メスコネクタ３８０とオスコネクタ３００を嵌合させることができる。また、メスコネクタ３８０とオスコネクタ３００が、不正規の向きで嵌合されようとする場合には、メスコネクタ３８０側の逆嵌合検知用の凸部３８６がオスコネクタ３００側のコネクタハウジング３１０の何れかの箇所に干渉する。それにより、メスコネクタ３８０とオスコネクタ３００が不正規の向きで嵌合されるのを阻止（逆嵌合阻止）することができる。
【先行技術文献】
【特許文献】
【００１２】
【特許文献１】特開２００６−１００１６７号公報
【発明の概要】
【発明が解決しようとする課題】
【００１３】
ところで、上述のように、逆嵌合検知するために、オスコネクタ３００のコネクタハウジング３１０自体の周側面３１２に逆嵌合検知用の溝３１６を設ける場合、コネクタハウジング３１０が複雑な形状になるため、コネクタハウジング３１０を専用品とする必要があり、使い回しが難しくなるという問題があった。
【００１４】
本発明は、上記事情を考慮し、コネクタハウジングには逆嵌合検知用の特別な形状を設けることをせずに、コネクタハウジングの使い回しができる状態を保ちながら、逆嵌合検知機能を持たせることができるコネクタ装置を提供することを目的とする。
【課題を解決するための手段】
【００１５】
上記課題を解決するために、請求項１の発明のコネクタ装置は、互いに嵌合する方向を前方、嵌合を解除する方向を後方とし、互いに嵌合することで電気的に接続される第１のコネクタ及び第２のコネクタとを有し、前記第１のコネクタは、前後方向に貫通した端子収容室が、前後方向と直交する面内に複数形成された第１のコネクタハウジングと、前記各端子収容室に後方から前方に向かって挿入され、前方への規制位置まで挿入されることで、各端子収容室に設けられた係止手段により後方へ抜け止め係止される複数の第１の端子と、前記第１のコネクタハウジングの側方から前記第１のコネクタハウジングの内部に向けて前後方向と直交する方向に挿入され、仮係止位置にあるとき、前記第１の端子の前記端子収容室に対する挿抜を許容し、一方、前記第１の端子が前記端子収容室に前記規制位置まで挿入されて前記係止手段により抜け止め係止されている状態で、前記仮係止位置から本係止位置に移動させられることで、前記第１の端子を前記係止手段と共に二重係止するリテーナと、を有し、前記第２のコネクタは、前記第１のコネクタハウジングに嵌合する第２のコネクタハウジングと、前記第２のコネクタハウジングに保持され、前記第１のコネクタハウジングと前記第２のコネクタハウジングとが嵌合されたとき、前記各第１の端子とそれぞれ電気接続される第２の端子と、を有し、前記リテーナに、前方に向けて開口した逆嵌合検知用の凹部が形成されると共に、前記第２のコネクタハウジングに、前記リテーナが本係止位置にある状態で、前記第１のコネクタに対して第２のコネクタが正規の向きで嵌合されるとき、前記逆嵌合検知用の凹部に挿入されることで、前記第１のコネクタと第２のコネクタの嵌合を許容し、一方、前記第１のコネクタに対して第２のコネクタが正規の向きと逆の向きで嵌合されるとき、前記第１のコネクタに形成された干渉壁部に干渉することで、前記第１のコネクタと第２のコネクタの嵌合を阻止する逆嵌合検知用の凸部が形成されていることを特徴とする。
【００１６】
請求項２の発明は、請求項１に記載のコネクタ装置であって、前記逆嵌合検知用の凹部が、前記第１のコネクタと第２のコネクタの嵌合方向に平行な方向に直線的に延びるスリットとして形成され、前記逆嵌合検知用の凸部が、前記スリットの内壁に案内されつつ該スリット内に挿入される板状の突片として形成されていることを特徴とする。
【００１７】
請求項３の発明は、請求項１または２に記載のコネクタ装置であって、前記第１のコネクタが、前記第１のコネクタハウジングとしてのインナハウジングと、前記インナハウジングを収容する収容空間を有した筒状をなし、前記インナハウジングを前記収容空間に収容したとき、筒状の周側壁の内周と前記インナハウジングの外周との間に、前記第２のコネクタハウジングのフード部の挿入される環状空間を確保するアウタカバーと、前記アウタカバーの収容空間の後端と前記インナハウジングの後壁との間に配置され、前記インナハウジングの各端子収容室に挿入される前記各第１の端子からそれぞれ後方に延びる各電線の周囲をシールする複数の電線挿通孔を有すると共に、前記アウタカバーと前記インナハウジングの間の環状空間に前記第２のコネクタハウジングのフード部が嵌合完了位置まで挿入されたとき、前記フード部と密着することで、前記インナハウジングに保持された第１の端子と第２のコネクタハウジングに保持された第２の端子との電気接続部を含む空間を外部からシールするマットシール１３０と、を有しており、前記第２のコネクタハウジングのフード部が、前記インナハウジングとの嵌合時に、前記インナハウジング及び前記リテーナを包囲する位置に設けられ、前記アウタカバーの周側壁に、前記第１のコネクタと第２のコネクタの嵌合前の状態において、前記リテーナを前記インナハウジングに挿入するための横窓が設けられていることを特徴とする。
【００１８】
請求項４の発明のコネクタ装置は、嵌合する方向を前方、嵌合を解除する方向を後方とし、相手側のコネクタに嵌合することで電気的に接続されるコネクタを有し、前記コネクタは、前後方向に貫通した端子収容室が、前後方向と直交する面内に複数形成されたコネクタハウジングと、前記各端子収容室に後方から前方に向かって挿入され、前方への規制位置まで挿入されることで、各端子収容室に設けられた係止手段により後方へ抜け止め係止される複数の端子と、前記コネクタハウジングの側方から前記コネクタハウジングの内部に向けて前後方向と直交する方向に挿入され、仮係止位置にあるとき、前記端子の前記端子収容室に対する挿抜を許容し、一方、前記端子が前記端子収容室に前記規制位置まで挿入されて前記係止手段により抜け止め係止されている状態で、前記仮係止位置から本係止位置に移動させられることで、前記端子を前記係止手段と共に二重係止するリテーナと、を有し、前記リテーナに、前記相手側のコネクタに対して正規の向きと逆の向きでの嵌合を阻止する前方に向けて開口した逆嵌合検知用の凹部が形成されると共に、前記相手側のコネクタに、前記リテーナが本係止位置にある状態で、前記コネクタに対して相手側のコネクタが正規の向きで嵌合されるとき、前記逆嵌合検知用の凹部に挿入されることで、前記コネクタと相手側のコネクタの嵌合を許容し、一方、前記コネクタに対して相手側のコネクタが正規の向きと逆の向きで嵌合されるとき、前記コネクタに形成された干渉壁部に干渉することで、前記コネクタと相手側のコネクタの嵌合を阻止する逆嵌合検知用の凸部が形成されていることを特徴とする。
【発明の効果】
【００１９】
請求項１，４の発明によれば、リテーナに逆嵌合検知用の凹部を設けることで、リテーナが本係止位置にある状態で、且つ、正規の向きで第１のコネクタ（コネクタ）と第２のコネクタ（相手側のコネクタ）を嵌合しようとしたときにのみ、逆嵌合検知用の凹部に逆嵌合検知用の凸部が挿入されることにより、第１のコネクタと第２のコネクタの嵌合が可能になる。また、不正規の向きで第１のコネクタと第２のコネクタを嵌合しようとしたときには、逆嵌合検知用の凸部が干渉壁部に干渉することにより、第１のコネクタと第２のコネクタの嵌合を阻止することができる。従って、リテーナが本係止されていることを検知しながら、同時に、コネクタ同士が正規の向きで嵌合されていることを検知することができる。
【００２０】
このように、コネクタハウジングにではなく、コネクタハウジングに装着される別部品のリテーナに逆嵌合検知用の凹部を設けたことにより、第１のコネクタのコネクタハウジングの形状を単純な形状にすることができる。従って、コネクタハウジングの使い回しが容易となり、様々なタイプのコネクタに適用できるようになる。
【００２１】
請求項２の発明によれば、逆嵌合検知用に設けた凹部（スリット）と凸部（突片）をガイドにしながら、第１のコネクタと第２のコネクタを嵌合することができる。従って、第１のコネクタと第２のコネクタを適正な位置関係に保ちながら嵌合させることができ、第１の端子と第２の端子を適正な位置関係で嵌合させることができて、端子同士のどつきが発生することがない。
【００２２】
請求項３の発明によれば、インナハウジングを収容するアウタカバーとアウタカバーの後端に装着されたマットシールがあることにより、端子同士の接続部を外部からシールする防水性能を確保することができる。しかも、インナハウジングを包囲するアウタカバーがあるものの、このアウタカバーに設けた横窓から、リテーナを押し込んで本係止させることができるので、第１の端子を全てインナハウジングに装着し、端子の導通試験を行い、正常に端子が組み込まれていることを確認した後に、外部からリテーナを本係止まで押し込むことができる。従って、ほぼ完成した製品での導通検査が可能であり、導通検査により正常であると確認したあと、最後にリテーナを押し込むことで、第１のコネクタの組み立てを完了することができ、作業負担を減らすことが可能となる。
【図面の簡単な説明】
【００２３】
【図１】本発明の実施形態のコネクタ装置の分解斜視図である。
【図２】前記コネクタ装置を構成するメスコネクタとオスコネクタの嵌合方向の正面側から見た図で、（ａ）はメスコネクタ（第２のコネクタ）の正面側から見た斜視図、（ｂ）はオスコネクタ（第１のコネクタ）の正面から見た断面図である。
【図３】前記オスコネクタの正面側から見た斜視図である。
【図４】前記オスコネクタとメスコネクタを正規の向きで嵌合した状態を示す上から見た断面図である。
【図５】前記オスコネクタとメスコネクタを不正規の向きで嵌合しようとして、嵌合が阻止されている状態を示す上から見た断面図である。
【図６】従来の逆嵌合検知機能を備えたコネクタ装置のオスコネクタ側の構成を示す分解斜視図である。
【図７】前記オスコネクタの外観構成を示す斜視図である。
【図８】前記オスコネクタとメスコネクタを嵌合しようとしている状態を示す斜視図である。
【発明を実施するための形態】
【００２４】
以下、本発明の実施形態を図面を参照して説明する。
【００２５】
図１は実施形態のコネクタ装置の分解斜視図、図２はコネクタ装置を構成するメスコネクタとオスコネクタの嵌合方向の正面側から見た図で、図２（ａ）はメスコネクタ（第２のコネクタ）の正面側から見た斜視図、図２（ｂ）はオスコネクタ（第１のコネクタ）の正面から見た断面図、図３はオスコネクタの正面側から見た斜視図、図４はオスコネクタとメスコネクタを正規の向きで嵌合した状態を示す上から見た断面図、図５はオスコネクタとメスコネクタを不正規の向きで嵌合しようとして、嵌合が阻止されている状態を示す上から見た断面図である。
【００２６】
図１に示すように、このコネクタ装置は、互いに嵌合することで電気的に接続される第１のコネクタとしてのオスコネクタ１００と、第２のコネクタとしてのメスコネクタ２００と、を備える。ここでは、オスコネクタ１００とメスコネクタ２００が互いに嵌合する方向を前方Ｆ、嵌合を解除する方向を後方Ｂとする。ただし、前方Ｆと後方Ｂは、各コネクタ１００、２００毎の方向である。
【００２７】
オスコネクタ（第１のコネクタ、コネクタ）１００は、樹脂成形品よりなるインナハウジング（第１のコネクタハウジング、コネクタハウジング）１１０と、樹脂成形品よりなるアウタカバー１２０と、ゴム製または軟質樹脂製のマットシール１３０と、インナハウジング１１０に組み込まれる金属製の複数のメス端子（第１の端子、端子）１０１と、樹脂成形品よりなるリテーナ（サイドスペーサとも呼ばれる）１４０と、からなる。メス端子１０１は、それぞれ被覆電線（電線）Ｗの先端に取り付けられている。
【００２８】
メスコネクタ（第２のコネクタ、相手側のコネクタ）２００は、樹脂成形品よりなるメスコネクタハウジング（第２のコネクタハウジング）２１０と、メスハウジング２１０に装着された金属製の複数のオス端子（第２の端子）２０１と、からなる。
【００２９】
図２（ａ）に示すように、メスコネクタハウジング２１０は、オス端子２０１が後方から前方に貫通する基板部２１２と、オス端子２０１の基板部２１２より前方に突出するオスタブ部分を包囲し保護するフード部２１１と、を有している。フード部２１１は、オスコネクタ１００とメスコネクタ２００の嵌合時に、図４に示すように、インナハウジング１１０及びリテーナ１４０を包囲する位置に設けられている。基板部２１２の左右端には、固定のための取付フランジ２１２ａが設けられている。
【００３０】
図１及び図３に示すように、オスコネクタ１００のインナハウジング１１０は、前後方向に平行に貫通した複数の端子収容室１１１を有する。複数の端子収容室１１１は、前後方向と直交する面内にて上下左右に複数列に配置されている。ただし、この実施形態では、１つの端子収容室１１１に２つのメス端子１０１が挿入され固定されるように構成されている。ここで、オスコネクタ１００の嵌合方向の正面から見て左側をＬとし、右側をＲとするとき、インナハウジング１１０は、左右方向の幅寸法が長く、上下方向の高さ寸法が短い、正面から見て横長の長方形状をなしている。
【００３１】
メス端子１０１は、各端子収容室１１１に後方Ｂから前方Ｆに向かって挿入されている。そして、前方Ｆへの規制位置（例えば、各端子収容室１１１の前方に配されたストッパ壁に衝突する位置）まで挿入されることで、各端子収容室１１１に設けられた不図示の可撓性ランス（係止手段）により後方Ｂへ抜け止め係止されている。
【００３２】
アウタカバー１２０は、インナハウジング１１０を収容する収容空間１２２を有した角筒状の周側壁１２１を備えている。この周側壁１２１は、正面から見て左右方向に長い横長の長方形の角筒状をなしている。アウタカバー１２０は、その収容空間１２２にインナハウジング１１０を収容したとき、角筒状の周側壁１２１の内周とインナハウジング１１０の外周との間に、メスコネクタハウジング２１０のフード部２１１の挿入される環状空間１２３（図３参照）を確保する。
【００３３】
マットシール１３０は、厚肉マット状のもので、アウタカバー１２０の収容空間１２２の後端とインナハウジング１１０の後壁との間に配置されている。マットシール１３０は、インナハウジング１１０の各端子収容室１１１に挿入される各メス端子１０１からそれぞれ後方に延びる各被覆電線Ｗの周囲をシールする複数の電線挿通孔１３１を有している。
【００３４】
また、マットシール１３０は、図４に示すように、アウタカバー１２０とインナハウジング１１０の間の環状空間１２３にメスコネクタハウジング２１０のフード部２１１が嵌合完了位置まで挿入されたとき、フード部２１１と密着することで、インナハウジング１１０に保持されたメス端子１０１とメスコネクタハウジング２１０に保持されたオス端子２０１との電気接続部を含む空間を外部からシールする役目を果たす。
【００３５】
リテーナ１４０は、図１に示すように、インナハウジング１１０の右側部の切欠部１１５からインナハウジング１１０の内部のスライド孔１１２に沿って、前後方向と直交する左右方向（本例では、右方Ｒから左方Ｌに向かって）に挿入される。リテーナ１４０は、仮係止位置と本係止位置とに係止可能とされ、仮係止位置にあるとき、メス端子１０１の端子収容室１１１に対する挿抜を許容する。一方、リテーナ１４０は、メス端子１０１が端子収容室１１１に規制位置まで挿入されて可撓性ランスにより抜け止め係止されている状態で、仮係止位置から本係止位置に移動させられることで、メス端子１０１を可撓性ランスと共に二重係止する機能を果たす。
【００３６】
図１、図２（ｂ）、図３に示すように、リテーナ１４０は、前記スライド孔１１２に挿入される差込部１４１と、これら差込部１４１の右端部を連結する頭部と１４３と、を有しており、この頭部１４３に、前方Ｆに向けて開口した逆嵌合検知用の凹部１４４を有している。この逆嵌合検知用の凹部１４４は、オスコネクタ１００とメスコネクタ２００の嵌合方向（前後方向）に平行な方向に直線的に延びるスリットとして形成されている。
【００３７】
また、アウタカバー１２０の右側の周側壁１２１には、オスコネクタ１００とメスコネクタ２００の嵌合前の状態において、リテーナ１４０をインナハウジング１１０に挿入するための横窓１２５が設けられている。
【００３８】
また、図２（ａ）に示すように、メスコネクタハウジング２１０のフード部２１１の内側の所定位置、即ち、オスコネクタ１００に嵌合させる向きで見た場合の右側の位置（オスコネクタ１００側の逆嵌合検知用の凹部１４４に対応する位置）には、逆嵌合検知用の凸部２１４が設けられている。この逆嵌合検知用の凸部２１４は、オスコネクタ１００側の逆嵌合検知用の凹部１４４であるスリットの内壁に案内されつつ該スリット内に挿入される板状の突片として形成されている。
【００３９】
この逆嵌合検知用の凸部２１４は、図４に示すように、リテーナ１４０が本係止位置にある状態で、オスコネクタ１００に対してメスコネクタ２００が正規の向きで嵌合されるとき、つまり、オスコネクタ１００の左側Ｌにメスコネクタ２００の左側Ｌが位置し、オスコネクタ１００の右側Ｌにメスコネクタ２００の右側Ｌが位置した状態で嵌合されるとき、リテーナ１４０に形成された逆嵌合検知用の凹部１４４に挿入されることで、オスコネクタ１００とメスコネクタ２００の嵌合を許容する。
【００４０】
一方、この逆嵌合検知用の凸部２１４は、図５に示すように、オスコネクタ１００に対してメスコネクタ２００が正規の向きと逆の向きで嵌合されるとき、つまり、オスコネクタ１００の左側Ｌにメスコネクタ２００の右側Ｒが位置し、オスコネクタ１００の右側Ｌにメスコネクタ２００の左側Ｌが位置した状態で嵌合されるとき、オスコネクタ１００のインナハウジング１１０に形成された干渉壁部１１４に干渉することで、オスコネクタ１００とメスコネクタ２００の嵌合を阻止するように構成されている。
【００４１】
上述のオスコネクタ１００を組み立てる場合、まず、アウタカバー１２０に、マットシール１３０とインナハウジング１１０とを組み付ける。次に、リテーナ１４０を仮係止位置まで組み付け、その状態で、メス端子１０１を、アウタカバー１２０の後方からマットシール１３０の電線挿通孔１３１に通して、インナハウジング１１０の端子収容室１１１に挿入し、可撓性ランスにより一次係止する。全てのメス端子１０１を挿入し一次係止したら、リテーナ１４０を更に押し込んで本係止させる。これにより、メス端子１０１は二重係止され。オスコネクタ１００が完成する。
【００４２】
この状態で、オスコネクタ１００とメスコネクタ２００を嵌合することにより、対応するメス端子１０１とオス端子２０１を電気接続することができる。
【００４３】
以上構成のコネクタ装置によれば、図４に示すように、リテーナ１４０に逆嵌合検知用の凹部１４４を設けることで、リテーナ１４０が本係止位置にある状態で、且つ、正規の向きでオスコネクタ１００とメスコネクタ２００を嵌合しようとしたときにのみ、オスコネクタ１００側の凹部１４４にメスコネクタ２００側の凸部２１４が挿入されることにより（図４中のＡで示す部分）、オスコネクタ１００とメスコネクタ２００の嵌合が可能になる。
【００４４】
また、不正規の向きでオスコネクタ１００とメスコネクタ２００を嵌合しようとしたときには、図５に示すように、メスコネクタ２００側の凸部２１４がオスコネクタ１００のインナハウジング１１０に設けた干渉壁部１１４に干渉することにより（図５中のＢで示す部分）、オスコネクタ１００とメスコネクタ２００の嵌合を阻止することができる。
【００４５】
従って、リテーナ１４０が本係止されていることを検知しながら、同時に、コネクタ１００、２００同士が正規の向きで嵌合されていることを検知することができる。
【００４６】
このように、インナハウジング（コネクタハウジング）１１０にではなく、インナハウジング１１０に装着される別部品のリテーナ１４０に逆嵌合検知用の凹部１４４を設けたことにより、オスコネクタ１００のインナハウジング１１０の形状を単純な形状にすることができる。従って、インナハウジング１１０の使い回しが容易となり、様々なタイプのコネクタに適用できるようになる。
【００４７】
また、本実施形態のコネクタ装置によれば、逆嵌合検知用に設けたリテーナ１４０の凹部（スリット）１４４とメスコネクタ２００側の凸部（突片）２１４をガイドにしながら、オスコネクタ１００とメスコネクタ２００を嵌合することができる。従って、オスコネクタ１００とメスコネクタ２００を適正な位置関係に保ちながら嵌合させることができ、メス端子１０１とオス端子２０１を適正な位置関係で嵌合させることができて、端子１０１、２０１同士のどつきが発生することがない。
【００４８】
また、本実施形態のコネクタ装置によれば、インナハウジング１１０を収容するアウタカバー１２０とアウタカバー１２０の後端に装着されたマットシール１３０があることにより、端子１０１、２０１同士の接続部を外部からシールする防水性能を確保することができる。しかも、インナハウジング１１０を包囲するアウタカバー１２０があるものの、そのアウタカバー１２０に設けた横窓１２５から、リテーナ１４０を押し込んで本係止させることができるので、メス端子１０１を全てインナハウジング１１０に装着し、端子１０１の導通試験を行い、正常に端子１０１が組み込まれていることを確認した後に、外部からリテーナ１４０を本係止まで押し込むことができる。従って、ほぼ完成した製品での導通検査が可能であり、導通検査により正常であると確認したあと、最後にリテーナ１４０を押し込むことで、オスコネクタ１００の組み立てを完了することができ、作業負担を減らすことが可能となる。
【００４９】
尚、前記実施形態では、第１のコネクタ１００に逆嵌合検知用のスリット（凹部）１４４と干渉壁部１１４を形成すると共に、第２のコネクタハウジング２１０に逆嵌合検知用の突片（凸部）２１４を形成したが、第２のコネクタハウジング２１０に逆嵌合検知用のスリット（凹部）と干渉壁部を形成すると共に、第１のコネクタ１００に逆嵌合検知用の突片（凸部）を形成しても良い。さらに、逆嵌合検知用の凹部はスリットに限らず、また、逆嵌合検知用の凸部は突片に限るものではないことは勿論である。
【符号の説明】
【００５０】
１００  オスコネクタ（第１のコネクタ、コネクタ）
１０１  メス端子（第１の端子、端子）
１１０  インナハウジング（第１のコネクタハウジング、コネクタハウジング）
１１１  端子収容室
１１４  干渉壁部
１２０  アウタカバー
１２１  周側壁
１２２  収容空間
１２３  環状空間
１２５  横窓
１３０  マットシール
１３１  電線挿通孔
１４０  リテーナ
１４４  スリット（逆嵌合検知用の凹部）
２００  メスコネクタ（第２のコネクタ、相手側のコネクタ）
２０１  オス端子（第２の端子）
２１０  メスコネクタハウジング（第２のコネクタハウジング）
２１１  フード部
２１４  突片（逆嵌合検知用の凸部）
Ｆ  前方
Ｂ  後方
Ｗ  被覆電線（電線）
【図１】
0006534301.tif 000002
【図２】
0006534301.tif 000003
【図３】
0006534301.tif 000004
【図４】
0006534301.tif 000005
【図５】
0006534301.tif 000006
【図６】
0006534301.tif 000007
【図７】
0006534301.tif 000008
【図８】
0006534301.tif 000009